(57)【要約】【課題】低コストで光ピックアップの温度上昇を効果的に抑制できる光ディスクドライブ装置を提供する。【解決手段】光ディスクドライブ装置は、ディスク５を載置するターンテーブル３と、このターンテーブル３との間でディスク５を挟持するディスククランパ６と、このターンテーブル３の側方に配置されてディスク５の下面にレーザー光を照射する光ピックアップ７と、ターンテーブル３に設けられて光ピックアップ７に冷却風を吹き付けるフィン４とを備えている。【選択図】  図１
2004310924.tif 000002
【特許請求の範囲】
【請求項１】
ディスクを載置保持するターンテーブルと、該ターンテーブルの側方に配置されて上記ディスクの下面にレーザー光を照射する光ピックアップと、上記ターンテーブルに設けられて上記光ピックアップに冷却風を吹き付けるフィンとを備えたことを特徴とする光ディスクドライブ装置。
【請求項２】
上記ターンテーブルの下面に突設されたスピンドル取付用ボス部に上記フィンを設けたことを特徴とする請求項１に記載の光ディスクドライブ装置。
【請求項３】
上記フィンとスピンドル取付用ボス部を一体成形したことを特徴とする請求項２に記載の光ディスクドライブ装置。
【発明の詳細な説明】
【０００１】
【発明の属する技術分野】
本発明は、ＣＤプレーヤーやＤＶＤプレーヤーなどに使用される光ディスクドライブ装置に関するものである。
【０００２】
【従来の技術】
図３は従来の光ディスクドライブ装置を示している。ディスク１００は、ターテーブル１０１とディスククランパ１０２で挟持されてモータ１０１により回転させられる。ターテーブル１０１の側方には、ディスク１００の下面にレーザー光を照射する光ピックアップ１０３が配置されている。
【０００３】
筐体１０４には、光ピックアップ１０３の温度上昇を抑えるため、冷却フィン１０５が設けられている。光ピックアップ１０３の温度上昇を抑える対策としては、図４に示すようにディスククランパ１０２にフィン１０６を設けた構造も提案されている（特許文献１参照）。
【０００４】
【特許文献１】
実開平６４−１５３９７号公報（全文）
【０００５】
【発明が解決しようとする課題】
しかし、前者の対策では、高価な冷却フィン１０５を用いるため、製品のコストの増大が避けられない。一方、後者の対策では、フィン１０６と光ピックアップ１０３との間にディスク１００が常に配置されており、フィン１０６によって生じる気流１０７が光ピックアップ１０３には直接当たらないため、光ピックアップ１０３の温度上昇を抑える効果は、あまり期待できない。
【０００６】
本発明は、このような事情に鑑みなされたもので、低コストで光ピックアップの温度上昇を効果的に抑制できる光ディスクドライブ装置を提供することを目的とする。
【０００７】
【課題を解決するための手段】
以上の目的を達成するため、本発明の光ディスクドライブ装置は、ディスクを載置保持するターンテーブルと、該ターンテーブルの側方に配置されて上記ディスクの下面にレーザー光を照射する光ピックアップと、上記ターンテーブルに設けられて上記光ピックアップに冷却風を吹き付けるフィンとを備えている。
かかる構成によれば、ターンテーブルと共にフィンが回転し、それにより生じる気流が光ピックアップに直接当たり、光ピックアップの強制空冷が図られる。
【０００８】
上記フィンは、ターンテーブルの下面に突設されたスピンドル取付用ボス部に設けるのが好ましい。
このようにすると、フィンの高さが大きくなり、冷却効果がさらに高くなる。
【０００９】
上記フィンとスピンドル取付用ボス部は一体成形するのが好ましい。
このようにすると、フィンとターンテーブルを同時に成形することができ、コスト的に有利になる。
【００１０】
【発明の実施の形態】
以下、図面を参照して本発明の実施の形態を説明する。
図１は本発明の光ディスクドライブ装置を示している。
【００１１】
同図において、１はモータで、そのスピンドル２にはターンテーブル３が取り付けられている。ターンテーブル３の下面には、図２に示すようにスピンドル取付用ボス部３ａが突設されており、このボス部３ａにフィン４が一体成形されている。同図において、３ｂはスピンドル２の挿入孔である。
【００１２】
ターンテーブル３には、ディスク５が載置されてディスククランプ６との間で挟持される。ターンテーブル３の側方には光ピックアップ７が配置されている。この光ピックアップ７からレーザー光がディスク５の下面に照射されて、ディスク５に対する情報の読み取り、書き込みが行われる。
【００１３】
いま、この光ディスクドライブ装置にディスク５を装着して再生あるいは記録モードにすると、ディスク５がターンテーブル３とディスククランプ６で挟持され、モータ１の回転にともなって、ターンテーブル３とフィン４、ディスク５、ディスククランパ６が共に回転する。この時、フィン４の回転により生じる気流８が光ピックアップ７に直接当たり、光ピックアップ７が強制空冷されることになる。
【００１４】
このように、フィン４の回転により生じる気流８が光ピックアップ７に直接当たり、光ピックアップ７が強制空冷されるので、光ピックアップ７の温度上昇を抑制する効果が高くなるが、光ピックアップ７に対する送風は、ターンテーブル７の回転を利用して行っているので、製品コストの上昇は少なくて済む。
【００１５】
なお、本発明は以上の実施形態に限定されるものではなく、種々の変形が可能である。光ピックアップ７に冷却風を多く吹き付けるように設計することが望ましい。
例えば、以上の実施形態では、フィン４を樹脂あるいは金属でターンテーブル３と一体成形してあるが、これらを別々に成形し、後加工の接着や溶着、ねじ止め、圧入、嵌合等によって一体化してもよい。
ターンテーブル３と隙間を空けてスピンドル２と一体化してもよい。
【００１６】
【発明の効果】
以上のように本発明によれば、ターンテーブルと共にフィンが回転し、フィンの回転により生じる気流が光ピックアップに直接当たり、光ピックアップが強制空冷されるので、光ピックアップの温度上昇を抑制する効果が高くなるが、光ピックアップに対する送風は、ターンテーブルの回転を利用して行っているので、製品コストの上昇は少なくて済む。
【００１７】
ターンテーブルの下面に突設されたスピンドル取付用ボス部にフィンを設けると、フィンの高さが大きくなり、冷却効果がさらに高くなる。
【００１８】
フィンとスピンドル取付用ボス部を一体成形すると、フィンとターンテーブルを同時に成形することができ、コスト的に有利になる。
【００１９】
ディスクを基準に光ピックアップ側にフィンが設けられるとディスクを光ピックがない方に取り出しやすい。
【図面の簡単な説明】
【図１】本発明に係る光ディスクドライブ装置の実施形態を示す側面図である。
【図２】同光ディスクドライブ装置のターンテーブルを示す斜視図である。
【図３】従来の光ディスクドライブ装置を示す図である。
【図４】他の従来例を示す図である。
【符号の説明】
１  モータ
２  スピンドル
３  ターンテーブル
３ａ  スピンドル取付用ボス部
４  フィン
５  ディスク
６  ディスククランパ
７  光ピックアップ
【図１】
2004310924.tif 000003
【図２】
2004310924.tif 000004
【図３】
2004310924.tif 000005
【図４】
2004310924.tif 000006